(57)【特許請求の範囲】
【請求項１】
記録媒体に記録を行う記録装置に対し着脱自在に構成され、前記記録媒体が収容される収容部を有するベースケースと、
前記ベースケースの前記収容部を覆うように設けられ、前記収容部を開閉するカバーケースと、
前記カバーケースに対し摺動自在に設けられ、前記収容部を閉塞したときに前記収容部に収容した前記記録媒体の少なくとも一端に接触して前記記録媒体をガイドする給送方向の上流側エッジガイドと、
前記上流側エッジガイドと回転軸を介して連結された下流側エッジガイドと、
を備え、
前記カバーケースは、前記記録媒体の搬送方向に直交する方向に延在した一端を回転軸として回動自在に前記ベースケースに取り付けられており、
前記下流側エッジガイドは、前記カバーケースから外れて前記記録媒体の搬送方向に延在して形成され、
前記上流側エッジガイドは、前記カバーケースの前記ベースケースと反対側の面に露出した操作子を有し、前記記録媒体の搬送方向に直交する方向に摺動自在に設けられ、
前記回転軸と同軸のエッジ回動軸により前記カバーケースと一体に回動することを特徴とする記録媒体カセット。
【請求項２】
前記カバーケースは、前記ベースケースと反対側の面が、収容状態から送り出されて記録が行われた前記記録媒体の保持部として機能し、
前記上流側エッジガイドは、前記収容部側に設けられ、前記収容部に収容された前記記録媒体をガイドする供給側ガイドと、前記保持部側に設けられ、前記操作子を有し、前記保持部に保持された前記記録媒体をガイドする排出側ガイドと、前記カバーケースを貫通して形成された貫通穴を通して前記供給側ガイドと前記排出側ガイドとを連結する連結部と、を有し、前記貫通穴に沿って摺動自在に設けられていることを特徴とする請求項１に記載の記録媒体カセット。
【請求項３】
前記ベースケースに対し前記記録媒体の搬送方向に摺動自在に設けられた第２エッジガイドを、更に備えていることを特徴とする請求項１に記載の記録媒体カセット。
【請求項４】
前記カバーケースは、一端を回転軸として回動自在に前記ベースケースに取り付けられていることを特徴とする請求項１ないし３のいずれかに記載の記録媒体カセット。
【請求項５】
前記ベースケースは、ベース本体と、前記ベース本体に対し摺動自在に係合するスライドベースと、を有し、
前記カバーケースは、カバー本体と、前記カバー本体に対し摺動自在に係合するスライドカバーと、を有し、
前記スライドベースおよび前記スライドカバーは、それぞれ、前記記録媒体の搬送方向に摺動することを特徴とする請求項１に記載の記録媒体カセット。
【請求項６】
前記カバーケースの前記ベースケースと反対側の面に前記記録媒体のサイズを指標する目盛が設けられていることを特徴とする請求項１ないし５のいずれかに記載の記録媒体カセット。
【発明の詳細な説明】
【技術分野】
【０００１】
本発明は、記録媒体に記録を行う記録装置に対し着脱自在に構成され、収容された記録媒体のエッジ（端部）に接触してガイドする記録媒体カセットに関する。
【背景技術】
【０００２】
従来、記録媒体に記録を行う記録装置に対し着脱自在に構成された記録媒体カセットであって、記録媒体（用紙）を収容するベースケース（カセット本体）と、ベースケースを覆うカバーケース（前面ケース）と、ベースケースの収容部に対し、記録媒体の幅方向に移動可能な第１エッジガイドおよび第２エッジガイドを備えた記録媒体カセットが知られている（特許文献１参照）。
この記録媒体カセットでは、２つのエッジガイドをそれぞれ変位させることで、記録媒体のサイズに合った適切な位置で、セットした記録媒体のエッジをガイドすることができるようになっている。
【先行技術文献】
【特許文献】
【０００３】
【特許文献１】特開２００８−２６６０２３号公報
【発明の概要】
【発明が解決しようとする課題】
【０００４】
従来の記録媒体カセットでは、収容部に記録媒体を収容し、各エッジガイドを記録媒体の端（エッジ）接触させるように移動させた後（セット状態）、カバーケースで収容部を閉塞していた。ここで、記録媒体のエッジに対する各エッジガイドの突き当てが強い（または弱い）場合など、エッジガイドの変位を再調整する必要が生じるとカバーケースを再び取り外し、エッジガイドを操作できる状態にしなければならなかった。
【０００５】
本発明は、ベースケースに収容した記録媒体のエッジに対するエッジガイドの突き当て具合の調整を容易に行うことができる記録媒体カセットを提供することを課題とする。
【課題を解決するための手段】
【０００６】
本発明の記録媒体カセットは、記録媒体に記録を行う記録装置に対し着脱自在に構成され、記録媒体が収容される収容部を有するベースケースと、ベースケースの収容部を覆うように設けられ、収容部を開閉するカバーケースと、カバーケースに対し摺動自在に設けられ、収容部を閉塞したときに収容部に収容した記録媒体の少なくとも一端に接触して記録媒体をガイドするエッジガイドと、を備え、エッジガイドは、カバーケースのベースケースと反対側の面に露出した操作子を有することを特徴とする。
【０００７】
この構成によれば、ベースケースに記録媒体を収容し、収容部をカバーケースで閉塞した後に、カバーケースの外側に臨む操作子を用いてエッジガイドを記録媒体の端（エッジ）に突き当てることができる。すなわち、記録媒体を収容した収容部を、カバーケースにより閉塞したまま、エッジガイドの摺動を操作することができる。これにより、記録媒体のエッジに対するエッジガイドの突き当てが強い（または弱い）ため、エッジガイドの変位調整が必要な場合など、カバーケースを再び取り外すことなく容易にエッジガイドを変位させることができる。
なお、カバーケースで収容部の閉塞前に、エッジガイドを変位させてもよい。好ましくは、閉塞前に記録媒体のサイズに合わせてエッジガイドを大雑把に位置合わせしておき、閉塞後に操作子を用いてエッジガイドを記録媒体のエッジに突き当てるようにする。
【０００８】
この場合、カバーケースは、ベースケースと反対側の面が、収容状態から送り出されて記録が行われた記録媒体の保持部として機能し、エッジガイドは、収容部側に設けられ、収容部に収容された記録媒体をガイドする供給側ガイドと、保持部側に設けられ、操作子を有し、保持部に保持された記録媒体をガイドする排出側ガイドと、カバーケースを貫通して形成された貫通穴を通して供給側ガイドと排出側ガイドとを連結する連結部と、を有し、貫通穴に沿って摺動自在に設けられていることが好ましい。
【０００９】
この構成によれば、カバーケースの表裏にそれぞれ供給側ガイドと排出側ガイドとが設けられているため、収容部内の記録媒体だけでなく、保持部に保持（ストック（蓄積））された記録媒体のエッジもガイドすることができる。これにより、供給側と排出側とで個別にエッジガイドを摺動させるための構造を設ける必要がなく、構造の単純化および低コスト化を図ることができる。
また、供給側ガイドと排出側ガイドとは、連結部により連結されていることから、どちらか一方を変位させることにより、他方も変位させることができる。これにより、供給側ガイドおよび排出側ガイドの変位調整を一度に行うことができるため、迅速かつ容易な操作が可能となる。
【００１０】
また、この場合、エッジガイドは、記録媒体の搬送方向に直交する方向に摺動自在に設けられたことが好ましい。
【００１１】
この構成によれば、記録媒体は、幅方向に整えられた状態でベースケースにセットされる。これにより、記録媒体は、幅方向にずれることなく正常に搬送され、正常な記録が行われる。
【００１２】
この場合、ベースケースに対し記録媒体の搬送方向に摺動自在に設けられた第２エッジガイドを、更に備えていることが好ましい。
【００１３】
この構成によれば、記録媒体は、長さ方向に対しても整えられた状態でベースケースにセットされる。特に複数の記録媒体をセットした場合に、搬送方向の下流側端部が不揃いとなることで生じうる搬送不良を防止することができる。
また、１つのケースに２つのエッジガイドのための摺動構造を設けると、そのケースの構造強度が低下する。しかし、上記の構成によれば、第２エッジガイドは、エッジガイドが設けられたカバーケースではなく、ベースケースに設けられているため、ベースケースおよびカバーケースの構造強度の低下を防止することができる。
【００１４】
また、この場合、カバーケースは、一端を回転軸として回動自在にベースケースに取り付けられていることが好ましい。
【００１５】
この構成によれば、カバーケースは、回転軸中心に回動することで収容部を大きく開放することができる。これにより、収容部への記録媒体の収容を容易に行うことができる。
【００１６】
この場合、カバーケースは、記録媒体の搬送方向に直交する方向に延在した一端を回転軸として回動自在にベースケースに取り付けられており、エッジガイドは、カバーケースから外れて記録媒体の搬送方向に延在して形成され、回転軸と同軸のエッジ回動軸によりカバーケースと一体に回動することが好ましい。
【００１７】
この構成によれば、エッジガイドのカバーケースを外れた部分は回動せず、エッジガイドのカバーケースに設けられた部分が、エッジ回転軸を中心にしてカバーケースと共に回動する。これにより、収容部を大きく開放することができると共に、カバーケースを外れた部分のエッジガイドが、記録媒体の収容時のガイドとなる。また、エッジガイドは、搬送方向に延びているため、記録媒体のエッジに対し、搬送方向に長く接触することができ、エッジガイドとしての機能を確実に発揮することができる。
【００１８】
この場合、ベースケースは、ベース本体と、ベース本体に対し摺動自在に係合するスライドベースと、を有し、カバーケースは、カバー本体と、カバー本体に対し摺動自在に係合するスライドカバーと、を有し、スライドベースおよびスライドカバーは、それぞれ、記録媒体の搬送方向に摺動することが好ましい。
【００１９】
この構成によれば、セットする記録媒体に合わせてスライドベースおよびスライドカバーを摺動させ、適切な大きさの収容部を形成することができる。これにより、記録媒体の長さに関わらず適切にセットすることができる。
【００２０】
また、この場合、カバーケースのベースケースと反対側の面に記録媒体のサイズを指標する目盛が設けられていることが好ましい。
【００２１】
この構成によれば、カバーケースにより収容部を閉塞する前に、収容した記録媒体に合わせてエッジガイドを変位させることができる。また、目盛を確認することで、カバーケースにより収容部を閉塞した後に、収容した記録媒体のサイズを知ることができる。なお、目盛を更にベースケース（収容部）側に設けてもよい。
【図面の簡単な説明】
【００２２】
【図１】記録装置の外観斜視図である。
【図２】用紙を給送ローラーから離間させた状態の記録装置の側断面図である。
【図３】用紙を給送ローラーに圧接させた状態の記録装置の側断面図である。
【図４】上部外側カバーが閉塞した状態の記録媒体カセットの斜視図である。
【図５】上部外側カバーが開放された状態の記録媒体カセットの斜視図である。
【図６】上部外側カバーが閉塞した状態の記録媒体カセットの正面図である。
【図７】（ａ）は、図６のＡ−Ａ線における記録媒体カセットの断面図、（ｂ）は、上部外側カバーが開放された状態の記録媒体カセットの断面図である。
【発明を実施するための形態】
【００２３】
以下、添付の図面を参照しながら、本発明の一実施形態に係る記録装置について説明する。この記録装置は、起立姿勢で保持した用紙（記録媒体）を搬送しながら所望の記録を行い、排紙した記録済みの用紙を起立状態で保持（ストック）するものである。なお、各図に示す通り、Ｘ軸（左右）方向、Ｙ軸（前後）方向およびＺ軸（上下）方向を規定して、以降説明する。
【００２４】
図１ないし図３に示すように、記録装置１は、Ｘ軸およびＹ軸方向よりもＺ軸方向の寸法が大きく形成された薄型の箱状体を成す筐体２によって外観が構成されている。なお、所謂縦置き型の記録装置１は、Ｘ軸およびＹ軸方向の寸法を小さくすることで設置面積が小さくなるように構成されている。また、Ｘ軸方向の寸法は、使用する用紙Ｐの最大幅により決定されるため、Ｙ軸方向の寸法を抑えることにより、設置面積の抑制を図っている。
【００２５】
また、記録装置１は、搬送路上に臨む用紙Ｐにインクジェット方式で印刷処理を行う印刷部３と、枚葉の用紙Ｐを搬送路に沿って送る搬送部４と、用紙Ｐを起立姿勢で収容し、筐体２に対し着脱自在に装着される記録媒体カセット５と、搬送部４や印刷部３などを支持する装置フレーム（図示省略）と、装置全体を統括制御する制御装置（図示省略）と、を備えている。
【００２６】
筐体２の上面には、操作ボタン等が配置された操作パネル２１と、ＰＣ等に接続するためのケーブルが接続されるケーブル端子２２と、複数のインクカートリッジ（図示省略）を着脱可能に装着するカートリッジ装着部（図示省略）を開閉するカートリッジカバー２３と、が設けられている。また、筐体２の上面には、記録が行われた用紙Ｐ（記録媒体）を排出するための用紙排出口２４を開閉する用紙排出口カバー２５が設けられている。なお、用紙排出口カバー２５は、ユーザーによって開閉されるものであるが、仮に閉じた状態で記録が実行された場合でも、図外の開閉機構によって自動的に開くようになっている。
【００２７】
印刷部３は、後述する一対の搬送ローラー４２の下流側に配設されており、インクジェットヘッド３２を搭載したキャリッジ３１と、インクジェットヘッド３２に対向位置に設けられた案内部材３３と、を有している。
【００２８】
キャリッジ３１は、Ｘ軸方向に延びるキャリッジガイド軸３４に沿って、図外のモーターにより往復移動可能に設けられている。なお、図２に示すように、キャリッジ３１は、傾斜姿勢で設けられるため、キャリッジガイド軸３４を中心として回動しようとする力が生じる。そこで、キャリッジ３１の上方に設けられた被ガイド部３５が、Ｘ軸方向に延びるキャリッジガイド板３６を挟み込むことで、キャリッジ３１の姿勢を一定に保持している。
【００２９】
案内部材３３は、搬送経路の一部を構成すると共に、用紙Ｐの記録面とインクジェットヘッド３２との間のギャップ（ワークギャップ）を規定する。また、案内部材３３には、インクジェットヘッド３２と対向する位置に縁無し印刷の際、用紙Ｐ端から外れた領域に吐出されるインクを受ける凹部が形成されている。この凹部の中には、インクを吸収するインク吸収材（図示省略）が設けられている。そして更に、案内部材３３の下方には、打ち捨てられたインクを貯留する廃液タンク（図示省略）が配置されている。
【００３０】
なお、本実施形態は、インクカートリッジがキャリッジ３１から独立して設けられたいわゆるオフキャリッジ型であるが、インクカートリッジがキャリッジ３１に搭載された、いわゆるオンキャリッジ型であってもよい。また、本実施形態では、キャリッジ３１がＸ軸方向に移動しながら記録を行ういわゆるシリアルプリンターであるが、用紙Ｐ幅をカバーする固定式のインクジェットヘッド３２を用いてもよい。さらに、インクジェット方式に限らず、その他の記録方式であってもよい。
【００３１】
搬送部４は、上流側から、装着された記録媒体カセット５の先端に対向する位置に設けられ、記録媒体カセット５から供給された用紙Ｐを下流側へと送り出す給送ローラー４１と、用紙Ｐを印刷部３へと搬送する一対の搬送ローラー４２と、印刷部３の案内部材３３から用紙Ｐの浮き上がりを防止する案内ローラー４３と、記録の行われた用紙Ｐを印刷部３から排出する一対の排紙ローラー４４と、を有している。なお、図示は省略するが、給送ローラー４１（後述する補助従動ローラー４６）、各搬送ローラー４２、案内ローラー４３および各排紙ローラー４４は、それぞれ、用紙Ｐの幅方向（Ｘ軸方向）に延びる回転軸と、回転軸に適宜の間隔で複数軸着したローラー本体と、から構成されている。
【００３２】
給送ローラー４１は、用紙Ｐの先端と接した状態で、図外のモーターにより回転することにより用紙Ｐを下方へと送り出す。給送ローラー４１の外周面に対向位置には、用紙Ｐが湾曲反転する略Ｕ字状の搬送経路を形成するガイド部材４５が配設されている。なお、符号４６は、給送ローラー４１による用紙Ｐの送り出しを補助する補助従動ローラーである。すなわち、給送ローラー４１と補助従動ローラー４６とでニップローラーの形態を為している。
【００３３】
一対の搬送ローラー４２は、図外の駆動モーターにより回転駆動される搬送駆動ローラー４２ａと、図外の付勢手段により搬送駆動ローラー４２ａに向かって付勢されている搬送従動ローラー４２ｂと、を有し、ニップローラーの形態を為している。搬送従動ローラー４２ｂは、搬送駆動ローラー４２ａとの間で用紙Ｐを挟圧することで従動回転する。
【００３４】
一対の排紙ローラー４４は、図外の駆動モーターにより回転駆動される排紙駆動ローラー４４ａと、図外の付勢手段により排紙駆動ローラー４４ａに向かって付勢されている排紙従動ローラー４４ｂと、を有し、ニップローラーの形態を為している。排紙駆動ローラー４４ａは、その表面がゴム等により形成されている。排紙従動ローラー４４ｂは、拍車状（スターホイール）に形成され、排紙駆動ローラー４４ａとの間で用紙Ｐを挟圧することで従動回転する。
【００３５】
下方へと送り出された用紙Ｐは、給送ローラー４１およびガイド部材４５によって上向きに反転させられ、一対の搬送ローラー４２へと送られる。用紙Ｐは、一対の搬送ローラー４２の間に挟まれて、印刷部３に送られる。印刷部３で記録の行われた用紙Ｐは、案内ローラー４３および一対の排紙ローラー４４を介して、記録媒体カセット５の保持面６１（後述する。）に摺接しながら上方に移動する（図３の破線参照）。排紙された用紙Ｐは、その下端が排紙駆動ローラー４４ａの近傍の装置フレームに設けられた受容部６２に起立姿勢で支持される。なお、案内ローラー４３は、拍車状のローラー（スターホイール）により構成されている。
【００３６】
受容部６２は、排紙駆動ローラー４４ａ側の先端部分が上方に屈曲しており、支持した用紙Ｐの下端が脱落したり、排紙駆動ローラー４４ａに接触しないようになっている。また、受容部６２は、適宜の間隔で複数配置された排紙駆動ローラー４４ａの間に入り込むようにして、Ｘ軸方向に適宜の間隔で複数配置されている。つまり、受容部６２は、全体として略櫛歯形状に形成されている。なお、請求項に言う「保持部」とは、受容部６２および保持面６１を指す。
【００３７】
続いて、図２ないし図７を参照して、記録媒体カセット５について説明する。記録媒体カセット５は、筐体２に対してＺ軸方向にスライドすることで着脱可能に構成されており、装着することで記録装置１の外観を構成する。また、記録媒体カセット５を取り外すことで記録装置１の内部が露出するため、搬送経路に用紙Ｐが詰まった等の不具合を容易に解消することができる。
【００３８】
記録媒体カセット５は、装着時に筐体２と面一になり、記録装置１の概観をなすカセット筐体部５３と、全体としてトレイ状に形成された本体トレイ５４と、用紙Ｐを収容する用紙収容空間Ｓを開閉する上部外側カバー５５と、上部外側カバー５５に対し、本体トレイ５４の上端から突出するようにスライド可能に設けられた上部内側カバー５６と、本体トレイ５４に対し、本体トレイ５４の上端から突出するようにスライド可能に設けられた上部スライドトレイ５７と、用紙収容空間Ｓに収容した用紙Ｐの先端を揺動させる可動トレイ５９と、上部外側カバー５５に対し、Ｘ軸方向にスライド可能に設けられたエッジガイド５８と、上部スライドトレイ５７に対し、Ｙ軸方向にスライド可能に設けられたレングスガイド６３と、を備えている。
【００３９】
本体トレイ５４の下端部には、収容した用紙Ｐの先端を支持する用紙先端支持壁５４ａが形成されている。記録媒体カセット５が装着された状態において収容された用紙Ｐは、その先端が用紙先端支持壁５４ａに当接した状態で支持される。
【００４０】
図４ないし図７に示すように、上部外側カバー５５は、本体トレイ５４の上下方向略中央部に設けられた左右一対の回動支点５５ａを中心に回動するようになっている。上部外側カバー５５を開放することにより、用紙収容空間Ｓが表れて、用紙Ｐの収容が可能となる。また、上部外側カバー５５の外面（装着時に装置内側に向く面）は、記録済みの用紙Ｐを保持する（蓄える）ための保持面６１として機能している。
【００４１】
図２および図３に示すように、上部内側カバー５６は上部外側カバー５５に対し、また、上部スライドトレイ５７は本体トレイ５４に対し、それぞれスライドすることで、用紙ＰのＺ軸方向の長さに合わせて、用紙収容空間Ｓを伸縮させることができる。また、上部内側カバー５６を延ばした場合は、上部外側カバー５５の外面から連なるように上部内側カバー５６の外面が延在し、保持面６１がＺ軸方向に延長される。なお、請求項に言う「ベースケース」とは、本体トレイ５４および上部スライドトレイ５７を指し、また、「カバーケース」とは、上部外側カバー５５および上部内側カバー５６を指す。
【００４２】
可動トレイ５９は、本体トレイ５４の下側に設けられ、左右一対の揺動支点５９ａ（図４参照）を中心に回動し、収容された用紙Ｐの先端を、給送ローラー４１に圧接させる状態（図３参照）と、離間させる状態（図２参照）と、の間を揺動する（いわゆるホッパー）。また、図４に示すように、可動トレイ５９には、用紙Ｐの先端に対応する位置に、給送ローラー４１が圧接できるように、Ｘ軸方向に沿って適宜の間隔で複数の接触開口部５９ｂが形成されている。
【００４３】
図２ないし図５に示すように、エッジガイド５８は、用紙収容空間Ｓに収容された用紙Ｐをガイドする供給側ガイド６４と、保持面６１に保持された用紙Ｐをガイドする排出側ガイド６５と、上部外側カバー５５を貫通して形成された長穴５５ｂを通して供給側ガイド６４と排出側ガイド６５とを連結する連結部６６と、を有している。
【００４４】
エッジガイド５８は、連結部６６の部分で、長穴５５ｂに沿ってスライド自在に設けられており、図４および図５において右側から用紙Ｐの端に接触して、用紙Ｐの搬送方向（Ｚ軸方向）への移動をガイドする。これにより、用紙Ｐは、幅方向に整えられた状態で用紙収容空間Ｓにセットされ、幅方向にずれることなく正常に搬送される。
【００４５】
図２ないし図５に示すように、供給側ガイド６４は、用紙収容空間Ｓ内（上部外側カバー５５の内側）に位置する上部ガイド７１と、可動トレイ５９の内側に位置する下部ガイド７２と、上部ガイド７１の下端部と下部ガイド７２の上端部とを回動自在に連接するガイド回動支点７３と、を有している。すなわち、下部ガイド７２は、上部外側カバー５５から外れて用紙Ｐの搬送方向に延在して形成されている。したがって、下部ガイド７２は、用紙Ｐの左右端に対して搬送方向（Ｚ軸方向）に長く接触することができる。このため、エッジガイド５８としての機能を確実に発揮することができる。
【００４６】
図６および図７に示すように、ガイド回動支点７３は、上記した左右一対の回動支点５５ａと同軸に設けられている。したがって、上部ガイド７１は、上部外側カバー５５と共に回動する。これにより、用紙収容空間Ｓを大きく開放することができると共に、上部外側カバー５５を外れた部分のエッジガイド５８が、用紙Ｐの収容時のガイドとなる。また、上記した左右一対の揺動支点５９ａは、回動支点５５ａおよびガイド回動支点７３よりも僅かに下方かつ後方に位置ずれして設けられている（図２および図３参照）。これにより、下部ガイド７２は、可動トレイ５９と共に回動可能となっている。
【００４７】
次に、排出側ガイド６５は、保持面６１側に設けられ、連結部６６から上方に延設されたガイドバー７４と、ガイドバー７４の上端部に接続された板状部７５と、を有している。板状部７５は、排紙された用紙Ｐに対し、Ｘ軸方向の一端（図４および図６では右側）から用紙Ｐに臨むように設けられている。また、ガイドバー７４および板状部７５は、ユーザーがエッジガイド５８のスライド操作を行うための操作子となる。
【００４８】
このように、供給側ガイド６４と排出側ガイド６５とは、連結部６６により連結されていることから、供給側ガイド６４または排出側ガイド６５のうちどちらか一方を変位させることにより、他方も同時に変位させることができる。すなわち、用紙Ｐを収容した用紙収容空間Ｓを、上部外側カバー５５により閉塞したまま、エッジガイド５８のスライドを操作することができる。これにより、用紙Ｐの左右端に対するエッジガイド５８の突き当てが強い（または弱い）ため、エッジガイド５８の変位調整が必要な場合など、上部外側カバー５５を再び開放することなく容易かつ迅速にエッジガイド５８を変位させることができる。
【００４９】
以上のように、本実施形態のエッジガイド５８には、上部外側カバー５５の表裏にそれぞれ供給側ガイド６４と排出側ガイド６５とが設けられている。このため、用紙収容空間Ｓ内の用紙Ｐだけでなく、保持面６１に保持された用紙Ｐの左右端もガイドすることができる。これにより、供給側と排出側とで個別にエッジガイド５８の摺動構造を設ける必要がなく、構造の単純化および低コスト化を図ることができる。
【００５０】
なお、図４ないし図６に示すように、上部外側カバー５５の長穴５５ｂの下側近傍には、例えばＪＩＳ規格Ａ４判サイズなどに対応した用紙ＰのＸ軸方向の端を指標する目盛５５ｃが設けられている。この目盛５５ｃは、上部外側カバー５５の表裏を貫通する穴であり、用紙収容空間Ｓ内からだけでなく、保持面６１側からも確認できるようになっている。これにより、上部外側カバー５５により用紙収容空間Ｓを閉塞する前に、収容した用紙Ｐに合わせてエッジガイド５８を変位させることができる。また、目盛５５ｃを確認することで、用紙収容空間Ｓを閉塞した後に、収容した用紙Ｐのサイズを知ることができる。なお、目盛５５ｃを貫通した穴ではなく、上部外側カバー５５の表裏にそれぞれ印刷、窪みや突起等でマーキングしてもよい。
【００５１】
続いて、図５および図６に示すように、レングスガイド６３は、上部スライドトレイ５７の用紙収容空間Ｓ側においてＺ軸方向に延在して形成されたスライド溝７７に対してスライド自在に係合するスライダー７６と、スライダー７６に取り付けられ、セットされた用紙Ｐの上端に接触する上端ガイド７８と、を有している。
【００５２】
スライド溝７７は、図５および図６において左寄りに形成され、スライダー７６を介して上端ガイド７８を上下方向への移動をガイドする。上端ガイド７８は、ユーザーがスライド操作するための摘みとして用いられると共に、上側から用紙Ｐの端に接触して用紙ＰのＺ軸方向への移動を規制する。これにより、用紙Ｐは、長さ方向に対しても整えられた状態で用紙収容空間Ｓ内にセットされる。特に複数枚の用紙Ｐを積層してセットした場合に、搬送方向の下流側の端部が不揃いとなることで生じうる搬送不良を防止することができる。
【００５３】
ここで、上部外側カバー５５に対し、エッジガイド５８およびレングスガイド６３の摺動構造（長穴５５ｂおよびスライド溝７７）を設けると、上部外側カバー５５の構造強度が低下する。上部スライドトレイ５７に長穴５５ｂおよびスライド溝７７設けた場合も同様である。
しかし、本実施形態では、エッジガイド５８は、上部外側カバー５５に設けられ、レングスガイド６３は、上部外側カバー５５ではなく、上部スライドトレイ５７に設けられている。このため、上部外側カバー５５および上部スライドトレイ５７の構造強度の低下を防止することができる。
【００５４】
本実施形態の記録媒体カセット５に用紙Ｐをセットする場合、ユーザーは、先ず、上部外側カバー５５を開放し、用紙Ｐを収納し、レングスガイド６３を用紙Ｐの上端に接触させる。次に、好ましくは、用紙Ｐのサイズに合わせてエッジガイド５８（供給側ガイド６４）を大雑把に位置調整しておく。その後、上部外側カバー５５を閉塞し、操作子となるガイドバー７４または板状部７５をスライド操作して供給側ガイド６４を用紙Ｐの右端に突き当てるようにする。この際、目盛５５ｃを指標として操作する。
【００５５】
以上の構成によれば、用紙収容空間Ｓを上部外側カバー５５により閉塞した状態で、エッジガイド５８のスライド動作を操作することができる。このため、用紙Ｐのエッジに対するエッジガイド５８の突き当てが不適切である場合に、上部外側カバー５５を再び取り外すことなく容易にエッジガイド５８を変位調整することができる。
【符号の説明】
【００５６】
１：記録装置、５５：上部外側カバー、５７：上部スライドトレイ、５８：エッジガイド、６１：保持面、６２：受容部、６３：レングスガイド、６４：供給側ガイド、６５：排出側ガイド、６６：連結部、７１：上部ガイド、７２：下部ガイド、７３：ガイド回動支点、７４：ガイドバー、７５：板状部、Ｐ：用紙
【図１】
0005776211.tif 000002
【図２】
0005776211.tif 000003
【図３】
0005776211.tif 000004
【図４】
0005776211.tif 000005
【図５】
0005776211.tif 000006
【図６】
0005776211.tif 000007
【図７】
0005776211.tif 000008